(57)【要約】【課題】  素材管理システムにおいて、カート装置に対してどのようなフォーマットのＡＶ素材を受信しても可搬型記憶媒体に記憶することができる。【解決手段】  カート装置１は、素材を記憶する可搬型記憶媒体を複数収納し、カート制御装置２は、可搬型記憶媒体への素材の記録の際に、素材のフォーマットを識別し、カート装置１を制御して、一つの可搬型記憶媒体に同一のフォーマットの素材を記憶させる。【選択図】  図１
2007073129.tif 000002
【特許請求の範囲】
【請求項１】
映像または音声素材を管理する素材管理システムにおいて、
素材を記憶する可搬型記憶媒体を複数収納する収納棚と、前記可搬型記憶媒体に前記素材を記録する記録装置とを備えたカート装置と、
前記可搬型記憶媒体への前記素材の記録の際に、前記素材のフォーマットを識別し、前記カート装置を制御して、一つの前記可搬型記憶媒体に同一の前記フォーマットの前記素材を記憶させるカート制御装置と、
を有することを特徴とする素材管理システム。
【請求項２】
前記可搬型記憶媒体が光ディスクであることを特徴とする請求項１記載の素材管理システム。
【請求項３】
映像または音声素材を管理する素材管理方法において、
可搬型記憶媒体への素材の記録の際に、前記素材のフォーマットを識別し、カート装置を制御して、一つの前記可搬型記憶媒体に同一の前記フォーマットの前記素材を記憶させることを特徴とする素材管理方法。
【発明の詳細な説明】
【技術分野】
【０００１】
本発明は、素材管理システムに関し、特に映像または音声素材を管理する素材管理システムに関する。
【背景技術】
【０００２】
大量のＡＶ（Audio Visual）素材を扱う放送局では、番組製作などに用いるために保存した大量の素材を管理する必要がある。そのため、ストレージに対して素材ファイルを記録再生する記録再生装置と、ストレージを格納する棚と、ストレージを棚から記録再生装置に搬送する搬送器を備えたカート装置を用いることにより素材を管理するデータ管理システムが知られている（たとえば、特許文献１参照）。
【０００３】
ところで、近年のＡＶ素材は、ＭＰＥＧ（Moving Picture Experts Group）化が進み、中でもＭＰＥＧ２による圧縮符号化は、デジタル放送やＤＶＤ（Digital Versatile Disc）−Ｖｉｄｅｏなどに使用され、放送番組の製作現場においても利用されてきている。さらに、近年では、ＴＣＰ／ＩＰ（Transmission Control Protocol/Internet Protocol）ネットワーク上での異なる機種やメーカの放送機器同士でのファイル交換のためのフォーマットとして、ＭＸＦ（Material eXchange Format）が、ＳＭＰＴＥ（Society of Motion Picture & Television Engineers）で標準化された。
【０００４】
ＭＸＦは、ＭＰＥＧフォーマットやＤＶ（Digital Video）フォーマットのデータ、さらにはメタデータ（圧縮符号化方式、映像の内容、撮影場所などの情報）などを一体化して送受信可能なフォーマットであり、ストリーミング機能にも対応している。ＭＸＦを利用することにより、たとえば放送局内のＬＡＮ（Local Area Network）を利用してＧＵＩ（Graphical User Interface）環境にてドラッグ＆ドロップなどの画面上での簡単な操作で、ＬＡＮ上の機器間による素材ファイルの転送や、再生、記録が可能になってきている。なお、ネットワーク上でのファイルの転送は、ＣＩＦＳ（Common Internet File System）やＦＴＰ（File Transfer Protocol）など、通常非同期転送で使用されるプロトコルによって制御される。
【特許文献１】特許第２９５２９０８号公報
【発明の開示】
【発明が解決しようとする課題】
【０００５】
しかし、従来のデータ管理システムにおけるカート装置は、受信したＡＶ素材のフォーマットと、受信したＡＶ素材をこれから記録しようとしている可搬型記憶媒体に記憶されているＡＶ素材のフォーマットとが不一致の場合には、カート装置が受信したＡＶ素材を記録することができないという問題がある。
【０００６】
本発明はこのような点に鑑みてなされたものであり、カート装置に対してどのようなフォーマットのＡＶ素材を受信しても可搬型記憶媒体に記憶することができる素材管理システムを提供することを目的とする。
【課題を解決するための手段】
【０００７】
本発明では上記問題を解決するために、映像または音声素材を管理する素材管理システムにおいて、素材を記憶する可搬型記憶媒体を複数収納する収納棚と、前記可搬型記憶媒体に前記素材を記録する記録装置とを備えたカート装置と、前記可搬型記憶媒体への前記素材の記録の際に、前記素材のフォーマットを識別し、前記カート装置を制御して、一つの前記可搬型記憶媒体に同一の前記フォーマットの前記素材を記憶させるカート制御装置とを有することを特徴とする素材管理システムが提供される。
【０００８】
このような素材管理システムによれば、カート装置は、素材を記憶する可搬型記憶媒体を複数収納し、カート制御装置は、可搬型記憶媒体への素材の記録の際に、素材のフォーマットを識別し、カート装置を制御して、一つの可搬型記憶媒体に同一のフォーマットの素材を記憶させる。
【発明の効果】
【０００９】
本発明の素材管理システムによれば、カート制御装置が、可搬型記憶媒体への素材の記録の際に、素材のフォーマットを識別し、カート装置を制御することによって一つの可搬型記憶媒体に同一のフォーマットの素材を記憶させるので、複数のフォーマットの素材を自動的に、かつ適切に可搬型記憶媒体に記憶させることができる。
【発明を実施するための最良の形態】
【００１０】
以下、本発明の実施の形態を図面を参照して詳細に説明する。
図１は、本実施の形態の素材管理システムの構成を示す図である。
本実施の形態の素材管理システムは、たとえば、放送局の番組製作現場において適用されるシステムであり、カート装置１、カート制御装置２、ＡＶサーバ３、制御用コンピュータ４を有している。
【００１１】
カート装置１は、複数の可搬型記憶媒体を収納する収納棚１ａと、複数の記録再生装置１ｂを備えている。また、収納棚１ａから可搬型記憶媒体を取り出し、記録再生装置１ｂへ運ぶ図示しない搬送器を備えている。
【００１２】
カート制御装置２は、カート装置１の動作を制御する。また、カート装置１内に収納されている可搬型記憶媒体に対して素材の書き込み要求があると、素材のフォーマットなどの情報を識別し、その情報に基づいてカート装置１に対して制御信号を出力し、素材のフォーマットに対応する可搬型記憶媒体を記録再生装置１ｂにセットさせる。また、素材を記憶すると、どの可搬型記憶媒体にどのフォーマットの素材を記憶したか、また何も記憶していない可搬型記憶媒体があるかを示すインデックスを生成して保存する。
【００１３】
ＡＶサーバ３は、ファイルサーバとして機能し、たとえば放送番組の制作用の素材を格納している。制御用コンピュータ４は、素材の転送などを制御するコンピュータであり、ユーザからの指示を受けて、所望の素材の検索をしたり、素材の再生または記録要求を行う。ＬＡＮ５は、カート装置１、カート制御装置２、ＡＶサーバ３、および制御用コンピュータ４を結びつけ、素材や制御信号などを伝送する。
【００１４】
なお、素材のフォーマットとしては、様々なフォーマットがある。記録再生装置１ｂは、様々なフォーマットの中で、ＭＰＥＧ  ＩＭＸ（５０／４０／３０Ｍｂｐｓ）（ＭＰＥＧ  ＩＭＸはソニー株式会社の登録商標である。）、ＤＶＣＡＭ（ＤＶＣＡＭはソニー株式会社の商標である。）の各フォーマットに対応しているものとする。
【００１５】
ＭＰＥＧ  ＩＭＸフォーマットは、量子化８ビットデジタルコンポーネント記録であり、サンプリングレートは４：２：２、圧縮方式にＭＰＥＧ−２  ４：２：２＠ＭＬに準拠したイントラフレーム方式を採用している。
【００１６】
図２は、カート装置が受信した素材を記録するときの構成例を示す図である。
カート装置１の収納棚１ａには、可搬型記憶媒体である光ディスク６が収納される。光ディスク６は、まだ何も記憶されていないブランクディスク７、ＭＰＥＧ  ＩＭＸフォーマットの５０Ｍｂｐｓの素材が記憶されている光ディスク８、ＭＰＥＧ  ＩＭＸフォーマットの４０Ｍｂｐｓの素材が記憶されている光ディスク９、ＭＰＥＧ  ＩＭＸフォーマットの３０Ｍｂｐｓの素材が記憶されている光ディスク１０、およびＤＶＣＡＭフォーマットの素材が記憶されている光ディスク１１に分類される。
【００１７】
たとえば、収納棚１ａに収納されている光ディスク６の全てがブランクディスク７であるとき、ＡＶサーバ３からＭＰＥＧ  ＩＭＸフォーマットの５０Ｍｂｐｓの素材が送信されてくると、ブランクディスク７に素材が記録される。また、すでに、ＭＰＥＧ  ＩＭＸフォーマットの５０Ｍｂｐｓの素材が記憶されている光ディスク８があるときには、光ディスク８に素材が記録される。
【００１８】
このように、光ディスク６に記憶された素材が再生されるときの再生データを図３、４に示す。
図３は、複数のフォーマットの素材を連続的に再生する場合の再生データの一例を示す図である。
【００１９】
再生データ２０には、ＭＰＥＧ  ＩＭＸフォーマットの５０Ｍｂｐｓの素材データ２１、ＤＶＣＡＭフォーマットの素材データ２２、およびＭＰＥＧ  ＩＭＸフォーマットの３０Ｍｂｐｓの素材データ２３が左から右へ再生順に並んでいる。
【００２０】
最初に、素材データ２１が再生される。そして、素材データ２１の再生が終わると素材データ２２の再生が始まる。素材データ２２が再生されるときには、再生装置のデコーダの再設定が必要となる。つまり、フォーマットが違うデータが連続して再生されるときには、フォーマットが違うデータ間で、データ量が大きく変わることがある上に、デコーダの再設定などの種々の処理が必要となる。すると、再生装置ではラグを吸収しきれなくなり、映像が乱れたり停止してしまうことがある。
【００２１】
一方、単一のフォーマットの素材を連続的に再生する場合の再生データを図４に示す。
図４は、単一のフォーマットの素材を連続的に再生する場合の再生データの一例を示す図である。
【００２２】
再生データ３０には、ＭＰＥＧ  ＩＭＸフォーマットの５０Ｍｂｐｓの素材データ３１、３２、３３が左から右へ再生順に並んでいる。最初に、素材データ３１が再生される。そして、素材データ３１の再生が終わると素材データ３２の再生が始まる。素材データ３２が再生されるときには再生データ２０を再生するときとは異なり、再生装置のデコーダの再設定は必要ない。また、同一フォーマットのデータ間ではデータ量が大きく変わることもないので、映像が乱れたりすることなくスムーズに再生することが可能である。
【００２３】
以上のような理由から、光ディスク６に素材を記憶するときには１つの光ディスク６に対して素材のフォーマットを１つにする必要がある。しかし、一方でカート装置１には多種類のフォーマットのデータを記憶できる方がユーザにとっては便利であり、実際に多種類のフォーマットのデータを扱うことになる。
【００２４】
そこで、カート装置１に対して送信されてくる素材をカート制御装置２が受け、事前に素材のフォーマットを識別することにより、１つの光ディスク６に複数のフォーマットの素材が記憶されないようにしている。
【００２５】
次に、送信されてきた素材を記憶するときの処理を示す。
図５は、本実施の形態の素材管理システムにおいて、光ディスクに素材を記録する処理の手順を示すフローチャートである。
【００２６】
以下、図５に示す処理をステップ番号に沿って説明する。
〔ステップＳ１１〕カート制御装置２は、素材を受け取ると受け取った素材のフォーマットを識別する。また、カート制御装置２が記憶しているインデックスを参照して、受け取った素材のフォーマットと同一のフォーマットの素材をすでに記憶しているか否かを判断する。すでに記憶している場合には、処理をステップＳ１２へ進め、まだ記憶していない場合には、処理をステップＳ１３へ進める。
【００２７】
〔ステップＳ１２〕カート制御装置２は、識別したフォーマットを含む記憶要求をカート装置に送信する。また、カート装置１は、記憶要求を受け取ると、素材のフォーマットが記憶されている光ディスク６を図示しない光ディスク６の搬送器を使って記録再生装置１ｂへ装填する。そして、カート装置１は、素材の書き込み準備が終わると、カート制御装置２に対して書き込み準備が完了した旨を通知する。カート制御装置２は、通知を受けると素材をカート装置１へ送信する。カート装置１は、受け取った素材を光ディスク６に書き込む。
【００２８】
たとえば、カート制御装置２が受け取った素材のフォーマットがＭＰＥＧ  ＩＭＸフォーマットの５０Ｍｂｐｓであったとき、カート装置１は、搬送器を使って光ディスク８を記録再生装置１ｂへ装填して、素材を光ディスク８に書き込む。
【００２９】
〔ステップＳ１３〕カート制御装置２は、インデックスを参照してカート装置１の収納棚１ａにブランクディスク７があるか否かを判断する。ブランクディスク７がある場合には、処理をステップＳ１４へ進め、ブランクディスク７がない場合には、処理を終了する。
【００３０】
〔ステップＳ１４〕カート装置１は、搬送器を使ってブランクディスク７を記録再生装置１ｂへ装填する。そして、カート装置１は、素材の書き込み準備が終わると、カート制御装置２に対して書き込み準備が完了した旨を通知する。
【００３１】
〔ステップＳ１５〕カート制御装置２は、通知を受けると素材をカート装置１へ送信する。カート装置１は、受け取った素材をブランクディスク７に書き込む。
以上のような素材管理システムを用いることにより、カート装置１に素材を記憶させる際に、カート制御装置２が素材のフォーマットを識別し、カート装置１を制御することによって一つの光ディスク６に同一のフォーマットの素材を記憶させるので、複数のフォーマットの素材を自動的に、かつ適切に可搬型記憶媒体に記憶させることができる。したがって、ユーザは素材のフォーマットを気にすることなくカート装置１に素材を記憶させることができ、かつ光ディスク６に記憶されている素材のフォーマットが単一になる。
【００３２】
なお、上記図５のステップＳ１２の説明において、光ディスク８に素材を記憶させる旨の説明をしたが、光ディスク８の残り容量が素材に対して少ない場合には、一部を光ディスク８に書き込み、残りをブランクディスク７に書き込んでもよい。また、残り容量が少ないと判断した場合には、受信した素材のすべてをブランクディスク７に書き込んでもよい。
【図面の簡単な説明】
【００３３】
【図１】本実施の形態の素材管理システムの構成を示す図である。
【図２】カート装置が受信した素材を記録するときの構成例を示す図である。
【図３】複数のフォーマットの素材を連続的に再生する場合の再生データの一例を示す図である。
【図４】単一のフォーマットの素材を連続的に再生する場合の再生データの一例を示す図である。
【図５】本実施の形態の素材管理システムにおいて、光ディスクに素材を記録する処理の手順を示すフローチャートである。
【符号の説明】
【００３４】
１……カート装置、１ａ……収納棚、１ｂ……記録再生装置、２……カート制御装置、３……ＡＶサーバ、４……制御用コンピュータ、５……ＬＡＮ
【図１】
2007073129.tif 000003
【図２】
2007073129.tif 000004
【図３】
2007073129.tif 000005
【図４】
2007073129.tif 000006
【図５】
2007073129.tif 000007